(57)【要約】  本発明は、製品パレット（１０）の近くのスマートフォンの存在を検出できるスマートフォン探索モジュール（２４）と、データネットワークを介してデータを転送できる送信モジュール（２２）とを有する自律型モジュール（２０）を備える製品パレット（１０）に関する。本発明はまた、店内の製品パレット（１０）の位置を把握するための方法であって、第１のステップにおいて、製品パレット（１０）に搭載されたモジュール（２０）が、製品パレット（１０）の近くに存在するスマートフォンを検出し、第２のステップにおいて、検出されたスマートフォンの数に応じて、製品パレット（１０）が店の店頭にあるか又は店の倉庫にあるかについての判断が自動化された様態でなされる、方法に関する。【選択図】図１
2021534053.tif 000002
【特許請求の範囲】
【請求項１】
製品パレット（１０）の近くのスマートフォンの存在を検出できるスマートフォン探索モジュール（２４）と、データネットワークを介してデータを転送できる送信モジュール（２２）とを有する自律型モジュール（２０）を備える製品パレット（１０）。
【請求項２】
前記スマートフォン探索モジュール（２４）が、周辺エリアに存在するスマートフォンのＷＬＡＮモジュール、特に、周辺エリア内のスマートフォンのＷＬＡＮモジュールのＭＡＣアドレスを検出することを特徴とする、請求項１に記載の製品パレット（１０）。
【請求項３】
前記送信モジュール（２２）が、２Ｇリンクを介してデータを送信することを特徴とする、先行する請求項のいずれかに記載の製品パレット（１０）。
【請求項４】
前記送信モジュール（２２）が、ＮＢ−ＩｏＴリンクを介してデータを送信することを特徴とする、請求項１及び請求項２のいずれかに記載の製品パレット（１０）。
【請求項５】
前記モジュール（２０）がバッテリ（２６）を有することを特徴とする、先行する請求項のいずれかに記載の製品パレット（１０）。
【請求項６】
前記モジュール（２０）が移動センサ（２８）を有することを特徴とする、先行する請求項のいずれかに記載の製品パレット（１０）。
【請求項７】
店内の製品パレット（１０）の位置を把握するための方法であって、第１のステップにおいて、製品パレット（１０）に搭載されたモジュール（２０）が、製品パレット（１０）の近くに存在するスマートフォンと対話し、第２のステップにおいて、対話があった異なるスマートフォンの数に応じて、製品パレット（１０）が店の店頭にあるか又は店の倉庫にあるかについての判断が自動化された様態でなされる、方法。
【請求項８】
前記モジュール（２０）が、請求項１乃至６のいずれかに記載の製品パレットの一部であり、検出されたスマートフォンの数の生情報を送信することを特徴とする、請求項７に記載の方法。
【請求項９】
前記モジュール（２０）が、請求項１乃至６のいずれかに記載の製品パレットの一部であり、判定された位置情報を送信することを特徴とする、請求項７に記載の方法。
【請求項１０】
前記モジュール（２０）が、状況に基づいて、例えば製品パレット（１０）が移動された後に、スマートフォンを検出することを特徴とする、請求項７乃至９のいずれかに記載の方法。
【請求項１１】
前記モジュール（２０）が、スマートフォンのアプリと対話し、前記スマートフォンが、前記アプリに記憶されたサーバにメッセージを送信することを特徴とする、請求項７に記載の方法。
【発明の詳細な説明】
【技術分野】
【０００１】
本発明は、製品パレット、並びに、製品パレットの、特に製品の二次陳列として用いられる製品パレット及び補充に用いられる製品パレットの、位置を把握するための方法に関する。
【背景技術】
【０００２】
二次陳列とは、製品が、棚スペースだけでなく、店内の第２の販売場所で、特に、より大きな注目を集めるために製品に特有の表示物を取り付けることができる製品パレット上で、顧客に売りに出されることを意味すると理解される。
【０００３】
これらの二次陳列の数は、ドイツの食品小売業界で増加し続けている。二次陳列は、一般に２つのタイプに区別される。１つは、例えばチラシからの、週替わりの販売促進に焦点をあてている。もう１つは、常設の二次陳列である。特に第１のタイプでは、週替わりの販売促進商品は、テレビ広告で、或いはクーポンキャンペーン又はチラシを使用して宣伝されるため、店頭での適時な陳列が極めて重要である。したがって、製品供給業者は、マーケティング及び市場開発資金を通じて、製品の売り上げを伸ばすために一定の財政的支出を行っている。しかし、供給業者は、販売促進中の製品が倉庫から移動され、正しい時刻に店頭に陳列されたかどうかを確認することができない。
【発明の概要】
【発明が解決しようとする課題】
【０００４】
本発明の目的は、供給業者が、該供給業者が販売促進中の製品が合意された通りに店の店頭で顧客に売りに出されているかどうかを自動化された様態で確認できるようにすることである。
【課題を解決するための手段】
【０００５】
この目的を達成するために、本発明によれば、自律型モジュールを搭載された製品パレットが提供され、該モジュールは、製品パレットの近くのスマートフォンの存在を検出できるスマートフォン探索モジュールと、データネットワークを介してデータを転送できる送信モジュールを有する。
【０００６】
この場合、「自律型モジュール」は、外部電源なしで機能する電子アセンブリであると理解される。これは、バッテリを含んでいる、すなわち能動的に送信できるタグ、又は外部信号に応答するビーコンであり得る。
【０００７】
この目的を達成するために、本発明によれば、第１のステップにおいて、製品パレットに搭載されたモジュールが、製品パレットの近くに存在するスマートフォンと対話し、第２のステップにおいて、対話があった異なるスマートフォンの数に応じて、製品パレットが店の店頭にあるか又は店の倉庫にあるかについての判断が自動化された様態でなされる、方法も提供される。
【０００８】
本発明に係る製品パレットと本発明に係る方法との両方は、所定の時間内に製品パレットの近くを「通過する」異なるスマートフォンの数が、製品パレットが倉庫内にあるか又は店頭にあるかについての非常に正確な結論を導き出すという発見に基づいている。スマートフォンが存在しない、ほんの少数のスマートフォンが存在する、又は常に同じスマートフォンが存在する場合、製品パレットは倉庫内にある。多くの異なるスマートフォンが存在する場合、製品パレットは店頭にある。
【０００９】
１つの変形例によれば、スマートフォンとの対話は、本発明に係る製品パレットに関連して説明されるモジュールによって実行することができ、前記モジュールは、スマートフォン探索モジュールと送信モジュールを搭載している。これらのモジュールは、スマートフォンのＷＬＡＮモジュールによって、特にスマートフォンのＷＬＡＮモジュールのＭＡＣアドレスに基づいて、製品パレットの周辺エリアにあるスマートフォンを特に効果的に検出することができる。
【００１０】
モジュールによって検出された情報は、低エネルギー消費で区別されるデータリンクを介して送信される。この目的のために、特に、ＧＳＭ、例えば、２Ｇリンク及び／又はＮＢ−ＩｏＴリンク（狭帯域のモノのインターネットリンク）を用いることができる。
【００１１】
モジュールは、該モジュールに電気エネルギーを供給するバッテリを搭載している。すべての機能のエネルギー消費が少ないので、バッテリは、最大１０年間にわたってモジュールに電気エネルギーを供給することができる。
【００１２】
本発明の一構成によれば、モジュールは、移動センサを有する。前記センサは、状況に基づいて、例えば製品パレットが移動された後に、スマートフォンを検出することを可能にする。これにより、エネルギーを節約し、したがって、モジュールの耐用年数を延ばすことができる。スマートフォンの検出に基づいて店内の製品パレットの位置が一度十分に高い精度で把握されれば、製品パレットが移動しない限り位置は変わらないと考えられる。製品パレットの移動が検出されるときにのみ、新たな検出動作が開始され、この動作は、店内の製品パレットの位置が十分に高い精度で再び把握されたときに終了することができる。
【００１３】
送信モジュールによって、検出されたスマートフォン（例えば、特定の時間単位で検出された異なるスマートフォン、又は所定の様態で計算された特徴数）の「生情報」を送信することができる。しかしながら、好ましくは、店内の製品パレットの位置情報（例えば、所定の時間内に比較的多数の異なるスマートフォンが検出されているときに情報「店頭にある」、又は所定の時間内に検出された異なるスマートフォンの数が所定の閾値を下回っているときに「店頭にない」)が実際に送信される。
【００１４】
好ましくは、測定は、設定時刻に、例えば朝の９:００と夜の１８:００に行われる。異なる位置を区別するための「閾値」は、予想される顧客の流れ、そしてまた、倉庫の大きさ（したがって、そこで予想される非顧客スマートフォンの数）に応じて設定することができる。例として、異なるスマートフォンの閾値数は、５分間に１０を超える数であり得る。
【００１５】
代替的な変形例によれば、本発明に係る方法に用いられるモジュールは、ビーコン、すなわち、タグであり、これは、スマートフォンのブルートゥース（登録商標）機能が起動されたときに、前記スマートフォンにインストールされたアプリ、例えば顧客が今いる店の食品小売チェーンアプリと対話することができる。アプリがこの種のビーコンと対話する場合、アプリは、前記対話が行われたことを示すメッセージをサーバに送信することができる。同じ製品パレットに関して短い時間内に複数のこのようなメッセージが受信される場合、当該製品パレットは店頭にあると結論づけることができる。
【００１６】
本発明は、添付図に示されている実施形態に基づいて以下に説明されることになる。
【図面の簡単な説明】
【００１７】
【図１】本発明に係る製品パレットの概略図である。
【図２】店の異なる位置に配置され、本発明に係る方法によって店での位置が把握される、本発明に係る２つの製品パレットの概略図である。
【発明を実施するための形態】
【００１８】
図１は、製品を載せることができる実質的に平坦な上面１２を有する製品支持プレート１１を有する製品パレット１０の概略図である。製品支持プレート１１の下側に複数の脚１４が設けられる。
【００１９】
製品パレット１０は、流通センターで製品が積み込まれ、次いで、店（例えば、スーパーマーケット）に輸送される。製品は、製品パレット１０を店頭に直接設置できるように製品パレット上に並べられ、したがって、製品をさらに棚に置く必要はない。この目的のために、製品を販売促進する様態で提示する表示物（例えば、印刷板紙）を製品パレット１０に取り付けることができる。
【００２０】
製品パレット１０には、送信モジュール２２、スマートフォン探索モジュール２４、及び移動センサ２６を含むモジュール２０が搭載される。バッテリも組み込まれる。
【００２１】
モジュール２０は、好ましくは、例えば製品支持プレート１１の下部に固定される、又は前記プレートがハニカム構造を有する場合、製品支持プレート１１の下部を超えて突出しないように皿穴の様態のハニカム構造のキャビティのうちの１つに取り付けられる、水密に密封されたユニットである。
【００２２】
スマートフォン探索モジュール２４は、周辺エリアを「スキャン」し、その周辺エリアにいくつの異なるスマートフォンが存在するかを判定する。この目的のために、特に、スマートフォンのＷＬＡＮモジュールのＭＡＣアドレスが検出される。このプロセスでは、（例えば倉庫作業員の）同じスマートフォンが複数回カウントされないようにするために、検出されたＭＡＣアドレスが、検出済みのＭＡＣアドレスと比較される。
【００２３】
送信モジュール２２は、低帯域幅の且つエネルギー消費が少ないデータリンクを介して、検出された異なるスマートフォンの数の情報を送信する。例は、２Ｇ及びＮＢ−ＩｏＴである。
【００２４】
移動センサ２６は、製品パレット１０が移動されるかどうかを検出する。この情報は、特に、スマートフォン探索モジュール２４を起動するのに用いられる。
【００２５】
図示されている製品パレットは、特に、クオーターパレットとして知られているものであり得る。しかしながら、製品パレットは、補充に用いられるパレットとすることもできる。この場合、パレットは、砂糖、小麦粉、水、キッチンロールなどの、ハーフパレット又はユーロパレットである。
【００２６】
製品パレット１０の機能と検出データの評価を図２に基づいて説明する。
【００２７】
図２は、棚３４を備える店頭３２と倉庫３６とを有する店３０（例えば、スーパーマーケット）を概略的に示す。
【００２８】
１つの製品パレット１０Ａが店頭３２に配置されており、さらなる製品パレット１０Ｂは倉庫３６内にある。
【００２９】
定期的に又は特定の因子の発現後に（例えば、製品パレットが移動された後に）、２つの製品パレット１０Ａ、１０Ｂのスマートフォン探索モジュール２４が、周辺エリアにあるスマートフォンのＭＡＣアドレスを探索する。いくつかのＭＡＣアドレスが「見つかる」と、システムは、
１）ＭＡＣアドレスが実は既に見つかっている
２）以前のスキャン動作と比較してＭＡＣアドレスに大きな変化があった
３）それらのＭＡＣアドレスが同じである
かどうかを自動的に比較する。
【００３０】
ケース１）では、製品パレット１０は、店頭３２にないが、むしろ倉庫３６内にあると考えられる。
【００３１】
ケース２）では、製品パレット１０は店頭３２にあると考えられる。
【００３２】
ケース３）では、製品パレット１０は倉庫３６内にあり、スタッフのスマートフォンだけが検出されていると考えられる。
【００３３】
モジュール２０の送信モジュール２２は、当該製品パレット１０がどこにあるかを適切なアプリケーション、データベース、又はコンピュータプログラムが示すこと（参照番号４２）ができるように、２Ｇ、ＮＢ−ＩｏＴ、又は同様の電気通信技術（概略的に例示されているレシーバステーション４０を参照されたい）を介して、検出された異なるスマートフォンの情報を転送し、この場合、製品パレット１０Ａについては、特定の時間内に検出された異なるスマートフォンの数が多いことに基づいて、店頭ＶＰにあると判定され、一方、製品パレット１０Ｂについては、異なるスマートフォンの数が少ないことに基づいて、倉庫Ｌ内にあると判定されている。
【００３４】
この情報は、製品パレット１０の小売業者と供給業者が、
・製品が正しい時刻に店頭３２に陳列されているかどうか（アラートシステムの設定）、
・製品が初めから入手可能であったか及び製品パレットがいつ撤収されたかを確実に追跡できるようになるため、十分な在庫が注文されているかどうか
・販売促進がさらに数日間行われる場合であっても製品パレットが倉庫３６内に戻されているどうかをリアルタイムで確認できるため、在庫を再注文する必要があるかどうか、
を確認することを可能にする。
【図１】
2021534053.tif 000003
【図２】
2021534053.tif 000004
【国際調査報告】
2021534053.tif 000005
2021534053.tif 000006
2021534053.tif 000007